(57)【特許請求の範囲】
【請求項１】
検知波を送信する送信器と、送信された検知波を受信する受信器と、前記送信器および受信器のそれぞれに設けられて方向を調整する方向調整手段と、前記受信器に設けられて受信量に応じて変化する音を発する発音手段とを備えた人体検知用センサであって、
前記発音手段の音量を大、小、オフのうち、少くとも小とオフに切り換える第１切換手段が前記受信器に設けられ、前記発音手段の音量を大、小、オフのうち、少くとも大とオフに切り換える第２切換手段が前記送信器に設けられた人体検知用センサ。
【発明の詳細な説明】
【０００１】
【発明の属する技術分野】
本発明は、送信器から受信器に送信される検知波が侵入者によって遮断もしくは減衰されるのを受信器で検知するようにした防犯センサまたは危険防止用センサのような人体検知用センサに関する。
【０００２】
【従来の技術と発明が解決しようとする課題】
図４は、人体検知用センサの一種である防犯センサの従来例を示す概略構成図である。この防犯センサは、一定周波数のパルスが重量された近赤外線、マイクロウエーブなどの検知波ａを送信する送信器４１と、送信器４１からの検知波を受信する受信器４２とを備え、設置時には、送信器４１と受信器４２の方向を合わせる、つまり送信器４１からの検知波を受信器４２で十分受信できるように、両者４１、４２の向きを合わせる方向調整作業が必要である。
この方向調整作業には、例えば、送信器４１および受信器４２に各々内蔵もしくは着脱可能に取り付けられる図示しない目視用の照準器を用いて行う粗調整と、受信器４２側のみで、受信量に応じて調整用モニター４３から出力される光、音量、電圧などの変化を監視しながら行う微調整とがあり、粗調整だけで済ませる場合もある。
【０００３】
図４において、受信器４１では、その受信部４４で受信した検知波ａを電気信号に変換したのち、処理回路４５で増幅・周波数弁別などの処理を行い、その処理信号に基づき、制御回路４６が方向調整時用および動作時用の信号を生成し、方向調整時用の信号は調整用モニター４３に、動作時用の信号は外部出力回路４７にそれぞれ入力される。調整用モニター４３としては、出力端子、表示灯、発音装置などが単独使用され、あるいはこれらが組み合わせて使用される。
【０００４】
方向調整時用の信号は、例えば、受信量に応じて出力レベルが変化し、調整用モニター４３が受信量に対応した電圧を出力する出力端子の場合には、その出力端子の信号電圧の変化をテスタなどを用いて監視することにより、上記微調整を行う。また、調整用モニター４３が表示灯の場合には、光の変化、例えば、輝度、表示灯の点灯数、色、点滅周期などの変化を、発音装置の場合には、音の変化、例えば、音の高低、音量、断続音の周期の変化を、それぞれ確認しながら上記微調整を行う。
【０００５】
動作時用の信号は、送信器４１から送信される検知波ａが人体によって遮断もしくは減衰されて受信量が所定レベル以下に低下したとき、外部出力回路４７を作動させて、警備会社への通報や、侵入者に注意を喚起したり威嚇したりする威嚇機器の駆動を行なう。
【０００６】
しかし、上記の従来例では、方向の調整時に、受信状態を監視する調整用モニター４３が受信器４２側にしか設けられないため、送信器４１と受信器４２とが大きく離れている場合（例えば２０ｍ以上）、送信器４１側を調整するには、受信器４２側で受信状態を確認しながら、トランシーバーなどで受信状態を報告する作業者と、その報告をトランシーバーなどで聞きながら送信器４１側を調整する作業者の２人が必要になる。調整用モニター４３が発音装置の場合、その音量を大きくすれば送信器４１側でその音を聞き取ることができるので、１人の作業者だけで送信器４１および受信器４２の両方を調整できるが、これでは受信器４２を調整する際に音量が大きすぎて、作業者に苦痛や不快感を与えることになる。そのため、現状では音量の小さな発音手段を使用しており、送信器４１の調整に兼用できていない。
【０００７】
図５は、図４の従来例における上記不具合の解消を図った他の従来例の概略を示すブロック図である。この防犯センサでは、受信器４２での受信状態を、受信器４２から送信器４１に知らせる通信手段として、受信器４２側に通信用送信部４８を、送信器４１側に通信用受信部４９をそれぞれ設けるとともに、通信手段で知らされた受信状態を出力する調整用モニター５０を送信器４１側にも設けている。これにより、受信器４２側での受信状態を送信器４１側の調整用モニター５０で監視しながら、送信器４１側の調整を行うことができ、１人の作業者により設置を行うことができる。
【０００８】
しかし、このような構成では、防犯センサの本来の機能を構成する送受信系とは別個に、通信用の送受信系が必要になり、構造の複雑化と製品コストの上昇を招く。
【０００９】
本発明は、上記の問題点を解決して、送信器および受信器の方向調整を１人の作業者により容易に行うことができ、構造の複雑化とコストの上昇を極力抑制できる人体検知用センサを提供することを目的とする。
【００１０】
【課題を解決するための手段】
上記目的を達成するために、本発明に係る人体検知用センサは、検知波を送信する送信器と、送信された検知波を受信する受信器と、前記送信器および受信器のそれぞれに設けられて方向を調整する方向調整手段と、前記受信器に設けられて受信量に応じて変化する音を発する発音手段とを備えたものであって、前記発音手段の音量を大、小、オフのうち、少くとも小とオフに切り換える第１切換手段を前記受信器に設け、前記発音手段の音量を大、小、オフのうち、少くとも大とオフに切り換える第２切換手段を前記送信器に設けている。
【００１２】
【発明の実施の形態】
以下、本発明の実施形態を図面に基づいて説明する。
図１に、本発明の第１実施形態に係る人体検知用センサの一種である防犯センサの構成図を示す。この防犯センサは、制御回路１によって制御される送信部２を有する送信器Ａと、この送信器Ａから送信される検知波ａを受信する受信部３を有する受信器Ｂとを備えている。検知波ａは、近赤外線、マイクロウエーブなどを搬送波として、これに一定周波数のパルス信号を重畳したものである。
【００１３】
送信器Ａおよび受信器Ｂには、送信器Ａと受信器Ｂの方向を調整するのに使用する方向調整手段が設けられている。送信器Ａと受信器Ｂは、その構造がほぼ同一であり、図２に示すように、ベース２０に各機能部分を装着し、これらをケース１２で覆っている。
【００１４】
前記ベース２０に固定された上下の支持部材１３Ａ、１３Ｂには、縦支持軸１４Ａ，１４Ｂを介して受信部ホルダ１５が前記縦支持軸１４Ａ，１４Ｂ回りに回動自在となるように支持されており、下側縦軸１４Ｂの下端にはホルダ１５の水平回転角（図２のｈ方向）を調整するダイヤル１６が設けられている。また、ホルダ１５には、左右の水平支持軸１７，１７を介して、送信部２または受信部３が水平支持軸１７回りに回動自在となるように支持されている。前記送信部２には一対の投光素子が取り付けられ、受信部３には一対の受光素子が取り付けられている。さらに、ホルダ１５の下部前面に形成した取付フランジ１５ａには調整ねじ１８が回転自在に結合され、その調整ねじ１８は、送信部２または受信部３の下端から下方に突出し、前記取付フランジ１５ａの後方に位置する突部１９にねじ込まれている。
【００１５】
前記調整ねじ１８の回転により、ホルダ１５に対して、送信部２または受信部３が水平支持軸１７回りに回動して、上下角（図２のｖ方向）が調整される。すなわち、前記ダイヤル１６および調整ねじ１８により、送信部２または受信部３を水平軸回りおよび垂直軸回りに回動させて方向を調整する前記方向調整手段１１が構成される。
【００１６】
受信器Ｂには、前記受信部３のほか、スピーカや圧電ブザーなどからなる図１の発音手段４と、受信部３で受信した検知波ａを変換した電気信号に対して増幅、周波数弁別などの処理を行う処理回路５と、処理された信号に基づき、方向調整時に前記発音手段４の作動を制御する信号を生成するとともに、通常の動作時に検知波ａが侵入者によって遮断もしくは所定レベル以下に減衰されたとき、対応する検知信号を生成して外部出力回路７に入力する制御回路６とを有する。発音手段４の作動を制御する前記信号は、発音手段４が発する音を変化させるもので、具体的には、受信量が低レベルのときに周期の長い断続音を発し、方向の調整が進んで受信量が増大するのに応じて断続音の周期を短くし、受信量が所定レベルを越えると、つまり方向が十分に合うと、断続音を連続音に変化させるものである。外部出力回路７は警備会社・その他の通報対象や、スピーカ、ブザー、回転灯などからなる威嚇ないし注意喚起用の報知器に接続される。
【００１７】
さらに、受信器Ｂには、方向調整時に前記発音手段４の音量を大小に切り換えるとともに、通常の動作時に発音手段４をオフ（音量ゼロ）にする切換手段８が設けられている。この３段階切換えの切換手段８は、例えば、方向調整時と通常の動作時とに応じて作業者が切換え操作する手動のスイッチやボリュームからなる。
【００１８】
なお、前記切換手段８は音量を大、小にのみ切り換える手動スイッチとし、これとは別に、図２の受信器Ｂのケース１２とベース２０との間に、ケース１２を取り外すと発音手段４をオンに、取り付けるとオフに切換え設定する自動のオン・オフスイッチを設けてもよい。
【００１９】
以下に、前記防犯センサの動作を説明する。
設置時には、送信器と受信器を概ね方向が合うように設置してから、先ず送信器Ａの方向調整を行う。図１の受信器Ｂの切換手段８を操作して、制御回路６により作動が制御される発音手段４の音量を大音量に切換え設定する。この状態で、受信器Ｂの発音手段４から出力される断続音をモニター信号をして聞き取りながら、送信器Ａ側の図２に示した方向調整手段１１のダイヤル１６および調整ねじ１８を、断続音の周期が短くなる方向に回して、送信部２の水平角ｈおよび上下角ｖを調整する。こうして、送信部２を水平軸および垂直軸の回りに回動させて、送信される検知波ａの方向が受信器Ｂの受信部３に向くように調整して方向合わせを行う。この場合、図１の発音手段４の音量は大に設定されているので、受信器Ｂから離れた送信器Ａ側においても、発音手段４から出力される断続音の周期の変化を十分に聞き取ることができる。
【００２０】
次に、受信器Ｂの方向調整を行う。先ず、図１の受信器Ｂの切換手段８を操作して、制御回路６により作動が制御される発音手段４の音量を小音量に切換え設定する。この状態で、図２の受信器Ｂの方向調整手段１１のダイヤル１６および調整ねじ１８を、発音手段４からの断続音の周期が短くなる方向に回して、受信部３の水平角ｈおよび上下角ｖを調整する。こうして、受信部３を水平軸および垂直軸の回りに回動させて、受信部３が送信部２から送られた検知波ａの方向を向くように調整して方向合わせを行う。受信部３の向きが検知波ａの方向にほぼ合致すると、断続音は連続音に変化する。これにより、作業者は受信器Ｂ側での方向の調整が完了したことを確認できる。この場合、図１に示す発音手段４の音量は小に設定されているので、作業者に苦痛や不快感を与えることがない。このようにして、１人の作業者により防犯センサの方向調整を容易に行うことができる。
【００２１】
方向微調整が終了すると、さらに切換手段８を操作して、発音手段４がオフとなる通常の動作時の状態に切換え設定する。通常の動作時には、送信器Ａから送信される検知波ａが侵入者によって遮断もしくは所定レベル以下に減衰されたとき、受信器Ｂにおいて受信量が変化し、その受信量の変化に応答して制御回路６で生成される検知信号が、外部出力回路７から警備会社、その他の通報対象や報知器に送信され、これらの機器が作動する。
【００２２】
図３は、本発明の第２実施形態に係る防犯センサの構成図を示す。この防犯センサでは、先の実施形態の防犯センサに用いられた切換手段８と同一の機能を持つ第１切換手段２１を受信器Ｂに設けるのに加えて、第２切換手段２２を送信器Ａにも設けている。この第２切換手段２２は、受信器Ｂの発音手段４の音量を大とオフに切換設定する指令を与える手段である。また、送信器Ａの制御回路１は、通常の動作時に人体検知用の検知波ａを送信するように送信部２を制御する機能と、前記第２切換手段２２からの指令入力に応じた情報を乗せた通信信号ｂを送信するように送信部２を制御する機能とを備える。通信信号ｂと検知波ａは、例えば重量されたパルスの周波数を異ならせるなどして信号形態を変えることにより区別される。
【００２３】
一方、受信器Ｂの制御回路６では、先の第１実施形態で説明した機能の他に、送信器Ａから受信した通信信号ｂを解読し、その通信信号ｂに含まれる切換指令の情報に応じて発音手段４の作動を制御する機能も備える。その他の構成は、第１実施形態の場合と同様である。
【００２４】
以下に、この第２実施形態の動作を説明する。
送信器Ａ側での方向調整は、先ず、第２切換手段２２を音量大の位置に切換操作して、発音手段４の音量を大にするよう制御回路１に指令を与える。これにより制御回路１が作動して送信部２を制御し、この送信部２から、切換指令の情報を乗せた通信信号ｂを送信させる。送信器Ａから送信された通信信号ｂを受信した受信器Ｂでは、制御回路６がその通信信号ｂを解読して、その切換指令情報に応じて、発音手段４の作動を音量が大となるように切換制御する。この状態で図２の方向調整手段１１を操作して方向合せを行う。その際、発音手段４の音量が大に切り換わっているから、送信器Ａ側でも十分に音量の変化を聞き分けることができる。
【００２５】
このように送信器Ａ側の第２切換手段２２が音量大の位置に切り換えられたとき、この切換えが、受信器Ｂ側の第１切換手段２１による切換えに優先する。したがって、第１切換手段２１が音量の大、小、オフのいずれの切換位置に設定されていても、発音手段４は音量大に設定される。受信器Ｂ側での方向調整は先の第１実施形態の場合と同様になされる。このようにして、１人の作業者により、送信器Ａと受信器Ｂの方向調整を容易に行うことができる。
【００２６】
送信器Ａの方向調整が完了すると、発音手段４がオフになるように第２切換手段２２をオフの位置に切換操作して、送信部２から対応する切換情報（パルス）を乗せた通信信号ｂを送信する。これにより、受信器Ｂでは、その第１切換手段２１の切換動作が優先される。受信器Ｂ側での方向調整の際は、第１切換手段２１を音量小に切換え設定し、先の第１実施形態の場合と同様の要領で方向調整を行う。通常の動作時には、防犯センサは先の第１実施形態の場合と同様に動作する。
【００２７】
このようにして、１人の作業者により、送信器Ａと受信器Ｂの方向調整を容易に行うことができる。また、通常の動作時に送信する検知波ａと、音量切換え用の通信信号ｂとを同一信号媒体で行うようにしているので、送信器Ａの送信部２や、受信器Ｂの受信部３を共通化でき、それだけ、構造を簡略化し、コストを低減できる。
【００２８】
なお、この実施形態において、第１切換手段２１を音量大に切換え設定すると、第２切換手段２２がオフの場合、第２切換手段２２よりも優先し、発音手段４の音量を大に設定する。したがって、第２切換手段２２がオフの場合、第１切換手段２１での操作のみで、発音手段４の出力音量を大、小、オフに切換え設定できる。
【００２９】
また、この実施形態では、第１切換手段２１で、発音手段４の出力音量を大、小、オフとなる３段階の切換指令を入力できるようにしているが、発音手段４がオフとなる状態と、音量が小となる２段階の切換指令のみを入力できるようにしても良い。また、送信器Ａ側に設ける第２切換手段２２は、発音手段４の音量がオフとなる状態と、音量が大、小となる３段階の切換指令を入力できるようにしても良い。この場合、第２切換手段２２を音量小に設定したときは、後から調整される受信器Ｂ側の第１切換手段２１による切換指令を優先させる。
【００３０】
さらに、前記各切換手段２１，２２は、手動のスイッチやボリュームで構成されるが、それとは異なり、例えば送信器Ａまたは受信器Ｂのケース１２とベース２０との間に、ケース１２がベース２０に取り付けられた状態で発音手段４が通常の動作時に対応したオフ状態となり、ケース１２を取り外すと発音手段４が方向調整時対応した作動状態、つまり送信器Ａのケース１２を取り外すと音量大に、受信器Ｂのケース１２を取り外すと音量小に、それぞれ自動的に切換え設定するスイッチを設けることもできる。
【００３１】
また、上述した各実施形態では、発音手段４への入力信号の変更により音量を大、小に切り換えるようにしたが、発音手段４の出力部に遮音材、吸音材、減音材などを切換え配置することにより、音量の大、小の切換えを行うようにしても良い。
【００３２】
さらに、上記各実施形態とは逆に、受信部３への受信量の増大に応じて断続音の周期を長くしてもよい。また、前記発音手段４から連続音を発生させ、受信量の増大に応じて音量を大きくするか、または低音から高音に徐々に変化させてもよい。
【００３３】
また、上記各実施形態では防犯センサについて説明したが、本発明は、例えば危険地域への立ち入りを禁止するために、危険地域に近づく侵入者を検知して報知する危険防止用センサなど、種々の人体検知用センサに適用できる。
【００３４】
【発明の効果】
本発明によれば、受信器側で方向を調整する場合には、発音手段の音量を小さくして行い、送信器側で方向を調整する場合には、発音手段の音量を大きくすることにより、発音手段の音の変化を監視しながら送信器の方向調整を行うことができるので、１人の作業者により送信器および受信器の両方の方向調整を容易に行うことができる。
【図面の簡単な説明】
【図１】本発明の一実施形態に係る防犯センサの概略を示すブロック図である。
【図２】同防犯センサにおける方向調整手段を示す斜視図である。
【図３】本発明の他の実施形態に係る防犯センサの概略を示すブロック図である。
【図４】従来例の概略を示すブロック図である。
【図５】他の従来例の概略を示すブロック図である。
【符号の説明】
４…発音手段、８…切換手段、１１…方向調整手段、２１…第１切換手段、２２…第２切換手段、Ａ…送信器、Ｂ…受信器
【図１】
0003936974.tif 000002
【図２】
0003936974.tif 000003
【図３】
0003936974.tif 000004
【図４】
0003936974.tif 000005
【図５】
0003936974.tif 000006